(57)【特許請求の範囲】
【請求項１】
正極と負極とをセパレータを挟んで積層させた発電要素を複数有する電池を製造する電池製造装置であって、
前記複数の発電要素のうち第１の発電要素に設けられた複数の正極を束ねて構成される第１の正極のタブ部と、当該複数の発電要素のうち当該第１の発電要素に隣接する第２の発電要素に設けられた複数の正極を束ねて構成される第２の正極のタブ部との間に、前記第１の正極のタブ部および前記第２の正極のタブ部に接続される正極集電体を誘導する正極集電体誘導手段と、
前記第１の正極のタブ部と前記第２の正極のタブ部との間に前記正極集電体が配置されるように当該正極集電体の位置ずれを矯正し、第１の正極のタブ部と第２の正極のタブ部との間に正極集電体が配置される際には、集電体を矯正した状態を保持している正極集電体矯正手段と、
前記第１の発電要素に設けられた複数の負極を束ねて構成される第１の負極のタブ部と、前記第２の発電要素に設けられた複数の負極を束ねて構成される第２の負極のタブ部との間に、前記第１の負極のタブ部および前記第２の負極のタブ部に接続される負極集電体を誘導する負極集電体誘導手段と、
前記第１の負極のタブ部と前記第２の負極のタブ部との間に前記負極集電体が配置されるように、当該負極集電体の位置ずれを矯正する負極集電体矯正手段と、
を備えることを特徴とする電池製造装置。
【請求項２】
前記正極集電体矯正手段は、前記正極集電体に嵌合されて当該正極集電体の位置ずれを矯正し、
前記正極集電体誘導手段は、
前記正極集電体の端部に装着される正極側誘導手段と、
前記正極集電体矯正手段により前記正極集電体が矯正されているとともに、当該正極集電体の端部に前記正極側誘導手段が装着されている状態で、当該正極側誘導手段の装着されている端部側から当該正極集電体を前記第１の正極のタブ部と前記第２の正極のタブ部との間に挿入する正極側挿入手段と、
前記第１の正極のタブ部と前記第２の正極のタブ部との間に前記正極集電体が挿入されている状態で、当該正極集電体に嵌合されている前記正極集電体矯正手段を、当該正極集電体から取り外す正極側取り外し手段と、
前記第１の正極のタブ部と前記第２の正極のタブ部との間に前記正極集電体が挿入されている状態で、当該正極集電体の端部に装着されている前記正極側誘導手段を、当該正極集電体の端部より取り除く正極側除去手段と、
を備え、
前記負極集電体矯正手段は、前記負極集電体に嵌合されて当該負極集電体の位置ずれを矯正し、
前記負極集電体誘導手段は、
前記負極集電体の端部に装着される負極側誘導手段と、
前記負極集電体矯正手段により前記負極集電体が矯正されているとともに、当該負極集電体の端部に前記負極側誘導手段が装着されている状態で、当該負極側誘導手段の装着されている端部側から当該負極集電体を前記第１の負極のタブ部と前記第２の負極のタブ部との間に挿入する負極側挿入手段と、
前記第１の負極のタブ部と前記第２の負極のタブ部との間に前記負極集電体が挿入されている状態で、当該負極集電体に嵌合されている前記負極集電体矯正手段を、当該負極集電体から取り外す負極側取り外し手段と、
前記第１の負極のタブ部と前記第２の負極のタブ部との間に前記負極集電体が挿入されている状態で、当該負極集電体の端部に装着されている前記負極側誘導手段を、当該負極集電体の端部より取り除く負極側除去手段と、
を備えることを特徴とする請求項１に記載の電池製造装置。
【請求項３】
前記正極集電体矯正手段および前記正極集電体誘導手段は、一体に設けられ、
前記負極集電体矯正手段および前記負極集電体誘導手段は、一体に設けられることを特徴とする請求項１に記載の電池製造装置。
【請求項４】
前記正極集電体矯正手段は、前記正極集電体に嵌合されて当該正極集電体の位置ずれを矯正し、
前記正極集電体誘導手段は、
前記正極集電体の端部に装着される正極側誘導手段と、
前記正極集電体矯正手段により前記正極集電体が矯正されているとともに、当該正極集電体の端部に前記正極側誘導手段が装着されている状態で、当該正極側誘導手段の装着されている端部側から当該正極集電体を前記第１の正極のタブ部と前記第２の正極のタブ部との間に挿入する正極側挿入手段と、
前記第１の正極のタブ部と前記第２の正極のタブ部との間に前記正極集電体が挿入されている状態で、当該正極集電体に嵌合されている前記正極集電体矯正手段を、当該正極集電体から取り外す正極側取り外し手段と、
を備え、
前記負極集電体矯正手段は、前記負極集電体に嵌合されて当該負極集電体の位置ずれを矯正し、
前記負極集電体誘導手段は、
前記負極集電体の端部に装着される負極側誘導手段と、
前記負極集電体矯正手段により前記負極集電体が矯正されているとともに、当該負極集電体の端部に前記負極側誘導手段が装着されている状態で、当該負極側誘導手段の装着されている端部側から当該負極集電体を前記第１の負極のタブ部と前記第２の負極のタブ部との間に挿入する負極側挿入手段と、
前記第１の負極のタブ部と前記第２の負極のタブ部との間に前記負極集電体が挿入されている状態で、当該負極集電体に嵌合されている前記負極集電体矯正手段を、当該負極集電体から取り外す負極側取り外し手段と、
を備えることを特徴とする請求項３に記載の電池製造装置。
【請求項５】
前記正極集電体の長手方向と直交する方向に沿った面における当該正極集電体の断面には、凹状の凹部が当該長手方向に延在して設けられ、
前記正極集電体矯正手段は、前記正極集電体の凹部に嵌合され、
前記負極集電体の長手方向と直交する方向に沿った面における当該負極集電体の断面には、凹状の凹部が当該長手方向に延在して設けられ、
前記負極集電体矯正手段は、前記負極集電体の凹部に嵌合されることを特徴とする請求項２または４に記載の電池製造装置。
【請求項６】
前記正極集電体誘導手段は、
前記正極集電体矯正手段の一端に設けられた正極側誘導手段と、
前記第１の正極のタブ部と前記第２の正極のタブ部との間に前記正極集電体矯正手段を挿入する正極側挿入手段と、
前記第１の正極のタブ部と前記第２の正極のタブ部との間に前記正極集電体矯正手段が挿入されている状態で、前記正極集電体の端部に前記正極側誘導手段を当接させ、当該正極側誘導手段と当該正極集電体とを当接させたまま、当該正極集電体矯正手段を当該正極集電体矯正手段の他端側に引っ張って、当該第１の正極のタブ部と当該第２の正極のタブ部との間から当該正極集電体矯正手段を抜去するとともに、当該第１の正極のタブ部と当該第２の正極のタブ部との間に当該正極集電体を挿入する正極側抜去手段と、を備え、
前記負極集電体誘導手段は、
前記負極集電体矯正手段の一端に設けられた負極側誘導手段と、
前記第１の負極のタブ部と前記第２の負極のタブ部との間に前記負極集電体矯正手段を挿入する負極側挿入手段と、
前記第１の負極のタブ部と前記第２の負極のタブ部との間に前記負極集電体矯正手段が挿入されている状態で、前記負極集電体の端部に前記負極側誘導手段を当接させ、当該負極側誘導手段と当該負極集電体とを当接させたまま、当該負極集電体矯正手段を当該負極集電体矯正手段の他端側に引っ張って、当該第１の負極のタブ部と当該第２の負極のタブ部との間から当該負極集電体矯正手段を抜去するとともに、当該第１の負極のタブ部と当該第２の負極のタブ部との間に当該負極集電体を挿入する負極側抜去手段と、を備えることを特徴とする請求項１に記載の電池製造装置。
【請求項７】
正極と負極とをセパレータを挟んで積層させた発電要素を複数有する電池を製造する電池製造方法であって、
前記複数の発電要素のうち第１の発電要素に設けられた複数の正極を束ねて構成される第１の正極のタブ部と、当該複数の発電要素のうち当該第１の発電要素に隣接する第２の発電要素に設けられた複数の正極を束ねて構成される第２の正極のタブ部との間に、前記第１の正極のタブ部および前記第２の正極のタブ部に接続される正極集電体を誘導する第１のステップと、
前記第１の正極のタブ部と前記第２の正極のタブ部との間に前記正極集電体が配置されるように当該正極集電体の位置ずれを矯正し、第１の正極のタブ部と第２の正極のタブ部との間に正極集電体が配置される際には、集電体を矯正した状態を保持している第２のステップと、
前記第１の発電要素に設けられた複数の負極を束ねて構成される第１の負極のタブ部と、前記第２の発電要素に設けられた複数の負極を束ねて構成される第２の負極のタブ部との間に、前記第１の負極のタブ部および前記第２の負極のタブ部に接続される負極集電体を誘導する第３のステップと、
前記第１の負極のタブ部と前記第２の負極のタブ部との間に前記負極集電体が配置されるように、当該負極集電体の位置ずれを矯正する第４のステップと、
を備えることを特徴とする電池製造方法。
【発明の詳細な説明】
【技術分野】
【０００１】
本発明は、電池製造装置および電池製造方法に関する。
【背景技術】
【０００２】
電池は、電極や電解液といった構成要素をケース内に封入することによって製造される。
【０００３】
例えばリチウムイオン二次電池であれば、正極と負極との間にセパレータを挟んで発電要素を構成し、この発電要素を複数積層させて電池ケース内に配置した後に、電解液を電池ケース内に注液する。
【０００４】
特許文献１に示されているリチウムイオン二次電池では、１つの電池ケース内に２つの発電要素が同じ向きに配置されている。２つの発電要素のそれぞれでは、発電要素の一方の端部において複数の正極が束ねられているとともに、発電要素の他方の端部において複数の負極が束ねられている。以降では、複数の正極のうち束ねられている部分のことを正極のタブ部と呼び、複数の負極のうち束ねられている部分のことを負極のタブ部と呼ぶこととする。
【０００５】
２つの発電要素のうち一方の発電要素における正極のタブ部と、２つの発電要素のうち他方の発電要素における正極のタブ部と、の間には、長尺状の正極集電体が挿入され、一方の発電要素に設けられた全ての正極と、他方の発電要素に設けられた全ての正極とは、正極集電体を介して正の外部接続端子に電気的に接続されている。また、２つの発電要素のうち一方の発電要素における負極のタブ部と、２つの発電要素のうち他方の発電要素における負極のタブ部と、の間には、長尺状の負極集電体が挿入され、一方の発電要素に設けられた全ての負極と、他方の発電要素に設けられた全ての負極とは、負極集電体を介して負の外部接続端子に電気的に接続されている。
【先行技術文献】
【特許文献】
【０００６】
【特許文献１】特開２０１３−２４６９３３号公報
【発明の概要】
【発明が解決しようとする課題】
【０００７】
電池ケースは、発電要素を収容するための容器と、発電要素を容器内に収容するために容器に形成された開口部を塞ぐ蓋板と、で構成されており、蓋板には、上述の長尺状の正極集電体および負極集電体が固定されている。
【０００８】
蓋板の平面が延在する向きと直交する向きに、正極集電体が延在していれば、正極のタブ部同士の間に正極集電体を容易に挿入することができる。しかし、蓋板の平面が延在する向きと直交する方向からずれた向きに、正極集電体が延在している場合がある。この場合、正極のタブ部同士の間に正極集電体を挿入する際に、正極のタブ部や正極に正極集電体がぶつかってしまい、正極のタブ部同士の間に正極集電体を容易には挿入できない場合があった。負極集電体についても、正極集電体と同様に、負極のタブ部や負極に負極集電体がぶつかってしまい、負極のタブ部同士の間に負極集電体を容易には挿入できない場合があった。
【０００９】
そこで、本発明は、上記の課題に鑑みてなされたものであり、正極集電体および負極集電体を所定の位置へ容易に挿入できるようにすることを目的とする。
【課題を解決するための手段】
【００１０】
本発明は、上述の課題を解決するために、以下の事項を提案している。なお、理解を容易にするために、本発明の実施形態に対応する符号を付して説明するが、これに限定されるものではない。
【００１１】
（１）  本発明は、正極（例えば、図２の正極１１０に相当）と負極（例えば、図２の負極１２０に相当）とをセパレータ（例えば、図２のセパレータ１３０に相当）を挟んで積層させた発電要素（例えば、図３の発電要素１００に相当）を複数有する電池（例えば、後述のリチウムイオン二次電池に相当）を製造する電池製造装置（例えば、図１の電池製造装置１に相当）であって、前記複数の発電要素のうち第１の発電要素（例えば、図８の発電要素１００ａに相当）に設けられた複数の正極を束ねて構成される第１の正極のタブ部（例えば、図８の正極のタブ部１１３ａに相当）と、当該複数の発電要素のうち当該第１の発電要素に隣接する第２の発電要素（例えば、図８の発電要素１００ｂに相当）に設けられた複数の正極を束ねて構成される第２の正極のタブ部（例えば、図８の正極のタブ部１１３ｂに相当）との間に、前記第１の正極のタブ部および前記第２の正極のタブ部に接続される正極集電体（例えば、図８の正極集電体２００に相当）を誘導する正極集電体誘導手段（例えば、図１の正極集電体誘導部１０に相当）と、前記第１の正極のタブ部と前記第２の正極のタブ部との間に前記正極集電体が配置されるように、当該正極集電体の位置ずれを矯正する正極集電体矯正手段（例えば、図１の正極集電体矯正部２０に相当）と、前記第１の発電要素に設けられた複数の負極を束ねて構成される第１の負極のタブ部（例えば、図８の負極のタブ部１２３ａに相当）と、前記第２の発電要素に設けられた複数の負極を束ねて構成される第２の負極のタブ部（例えば、図８の負極のタブ部１２３ｂに相当）との間に、前記第１の負極のタブ部および前記第２の負極のタブ部に接続される負極集電体（例えば、図８の負極集電体３００に相当）を誘導する負極集電体誘導手段（例えば、図１の負極集電体誘導部３０に相当）と、前記第１の負極のタブ部と前記第２の負極のタブ部との間に前記負極集電体が配置されるように、当該負極集電体の位置ずれを矯正する負極集電体矯正手段（例えば、図１の負極集電体矯正部４０に相当）と、を備えることを特徴とする電池製造装置を提案している。
【００１２】
この発明によれば、正極集電体誘導手段により、第１の正極のタブ部と第２の正極のタブ部との間に正極集電体を誘導し、正極集電体矯正手段により、第１の正極のタブ部と第２の正極のタブ部との間に正極集電体が挿入されるように、正極集電体の位置ずれを矯正することとした。このため、発電要素を動かすことなく正極集電体を正しい位置に配置して、第１の正極のタブ部と第２の正極のタブ部との間に正極集電体を導くことができる。したがって、第１の正極のタブ部と第２の正極のタブ部との間に正極集電体を容易に挿入することができる。
【００１３】
この発明によれば、負極集電体誘導手段により、第１の負極のタブ部と第２の負極のタブ部との間に負極集電体を誘導し、負極集電体矯正手段により、第１の負極のタブ部と第２の負極のタブ部との間に負極集電体が挿入されるように、負極集電体の位置ずれを矯正することとした。このため、発電要素を動かすことなく負極集電体を正しい位置に配置して、第１の負極のタブ部と第２の負極のタブ部との間に負極集電体を導くことができる。したがって、第１の負極のタブ部と第２の負極のタブ部との間に負極集電体を容易に挿入することができる。
【００１４】
（２）  本発明は、（１）の電池製造装置について、前記正極集電体矯正手段は、前記正極集電体に嵌合されて当該正極集電体の位置ずれを矯正し、前記正極集電体誘導手段は、前記正極集電体の端部（例えば、図１０の正極集電体２００のＹマイナス方向側の端部に相当）に装着される正極側誘導手段（例えば、図１の正極側誘導部１１に相当）と、前記正極集電体矯正手段により前記正極集電体が矯正されているとともに、当該正極集電体の端部に前記正極側誘導手段が装着されている状態で、当該正極側誘導手段の装着されている端部側から当該正極集電体を前記第１の正極のタブ部と前記第２の正極のタブ部との間に挿入する正極側挿入手段（例えば、図１の正極側挿入部１２に相当）と、前記第１の正極のタブ部と前記第２の正極のタブ部との間に前記正極集電体が挿入されている状態で、当該正極集電体に嵌合されている前記正極集電体矯正手段を、当該正極集電体から取り外す正極側取り外し手段（例えば、図１の正極側取り外し部１３に相当）と、前記第１の正極のタブ部と前記第２の正極のタブ部との間に前記正極集電体が挿入されている状態で、当該正極集電体の端部に装着されている前記正極側誘導手段を、当該正極集電体の端部より取り除く正極側除去手段（例えば、図１の正極側除去部１４に相当）と、を備え、前記負極集電体矯正手段は、前記負極集電体に嵌合されて当該負極集電体の位置ずれを矯正し、前記負極集電体誘導手段は、前記負極集電体の端部（例えば、図１０の負極集電体３００のＹマイナス方向側の端部に相当）に装着される負極側誘導手段（例えば、図１の負極側誘導部３１に相当）と、前記負極集電体矯正手段により前記負極集電体が矯正されているとともに、当該負極集電体の端部に前記負極側誘導手段が装着されている状態で、当該負極側誘導手段の装着されている端部側から当該負極集電体を前記第１の負極のタブ部と前記第２の負極のタブ部との間に挿入する負極側挿入手段（例えば、図１の負極側挿入部３２に相当）と、前記第１の負極のタブ部と前記第２の負極のタブ部との間に前記負極集電体が挿入されている状態で、当該負極集電体に嵌合されている前記負極集電体矯正手段を、当該負極集電体から取り外す負極側取り外し手段（例えば、図１の負極側取り外し部３３に相当）と、前記第１の負極のタブ部と前記第２の負極のタブ部との間に前記負極集電体が挿入されている状態で、当該負極集電体の端部に装着されている前記負極側誘導手段を、当該負極集電体の端部より取り除く負極側除去手段（例えば、図１の負極側除去部３４に相当）と、を備えることを特徴とする電池製造装置を提案している。
【００１５】
この発明によれば、（１）の電池製造装置において、正極集電体矯正手段を正極集電体に嵌合させて、正極集電体矯正手段により正極集電体の位置ずれを矯正することとした。また、正極集電体誘導手段に、正極側誘導手段および正極側挿入手段を設けることとした。また、正極側誘導手段を正極集電体の端部に装着することとした。また、正極側挿入手段により、正極集電体矯正手段により正極集電体が矯正されているとともに、正極集電体の端部に正極側誘導手段が装着されている状態で、正極側誘導手段の装着されている端部側から正極集電体を第１の正極のタブ部と第２の正極のタブ部との間に挿入することとした。このため、正極側挿入手段により第１の正極のタブ部と第２の正極のタブ部との間に正極集電体を挿入する際に、この正極集電体を第１の正極のタブ部と第２の正極のタブ部との間に容易に導くことができる。したがって、第１の正極のタブ部と第２の正極のタブ部との間に正極集電体を容易に挿入することができる。
【００１６】
また、この発明によれば、（１）の電池製造装置において、負極集電体矯正手段を負極集電体に嵌合させて、負極集電体矯正手段により負極集電体の位置ずれを矯正することとした。また、負極集電体誘導手段に、負極側誘導手段および負極側挿入手段を設けることとした。また、負極側誘導手段を負極集電体の端部に装着することとした。また、負極側挿入手段により、負極集電体矯正手段により負極集電体が矯正されているとともに、負極集電体の端部に負極側誘導手段が装着されている状態で、負極側誘導手段の装着されている端部側から負極集電体を第１の負極のタブ部と第２の負極のタブ部との間に挿入することとした。このため、負極側挿入手段により第１の負極のタブ部と第２の負極のタブ部との間に負極集電体を挿入する際に、この負極集電体を第１の負極のタブ部と第２の負極のタブ部との間に容易に導くことができる。したがって、第１の負極のタブ部と第２の負極のタブ部との間に負極集電体を容易に挿入することができる。
【００１７】
また、この発明によれば、（１）の電池製造装置において、正極集電体誘導手段に、正極側取り外し手段および正極側除去手段を設けることとした。また、正極側取り外し手段により、第１の正極のタブ部と第２の正極のタブ部との間に正極集電体が挿入されている状態で、正極集電体に嵌合されている正極集電体矯正手段を、正極集電体から取り外すこととした。また、正極側除去手段により、第１の正極のタブ部と第２の正極のタブ部との間に正極集電体が挿入されている状態で、正極集電体の端部に装着されている正極側誘導手段を、正極集電体の端部より取り除くこととした。このため、第１の正極のタブ部と第２の正極のタブ部との間に正極集電体を挿入した後に、この正極集電体から正極集電体矯正手段および正極側誘導手段を取り外すことができる。
【００１８】
また、この発明によれば、（１）の電池製造装置において、負極集電体誘導手段に、負極側取り外し手段および負極側除去手段を設けることとした。また、負極側取り外し手段により、第１の負極のタブ部と第２の負極のタブ部との間に負極集電体が挿入されている状態で、負極集電体に嵌合されている負極集電体矯正手段を、負極集電体から取り外すこととした。また、負極側除去手段により、第１の負極のタブ部と第２の負極のタブ部との間に負極集電体が挿入されている状態で、負極集電体の端部に装着されている負極側誘導手段を、負極集電体の端部より取り除くこととした。このため、第１の負極のタブ部と第２の負極のタブ部との間に負極集電体を挿入した後に、この負極集電体から負極集電体矯正手段および負極側誘導手段を取り外すことができる。
【００１９】
（３）  本発明は、（１）の電池製造装置について、前記正極集電体矯正手段および前記正極集電体誘導手段は、一体に設けられ、前記負極集電体矯正手段および前記負極集電体誘導手段は、一体に設けられることを特徴とする電池製造装置を提案している。
【００２０】
この発明によれば、（１）の電池製造装置において、正極集電体矯正手段および正極集電体誘導手段を一体に設けることとした。このため、正極側挿入手段により第１の正極のタブ部と第２の正極のタブ部との間に正極集電体を挿入する際に、正極集電体誘導手段とともに正極集電体矯正手段を移動させることができる。したがって、正極側挿入手段により第１の正極のタブ部と第２の正極のタブ部との間に正極集電体を挿入する際に、正極集電体矯正手段による正極集電体の位置ずれの矯正を、容易に継続することができる。
【００２１】
また、この発明によれば、（１）の電池製造装置において、負極集電体矯正手段および負極集電体誘導手段を一体に設けることとした。このため、負極側挿入手段により第１の負極のタブ部と第２の負極のタブ部との間に負極集電体を挿入する際に、負極集電体誘導手段とともに負極集電体矯正手段を移動させることができる。したがって、負極側挿入手段により第１の負極のタブ部と第２の負極のタブ部との間に負極集電体を挿入する際に、負極集電体矯正手段による負極集電体の位置ずれの矯正を、容易に継続することができる。
【００２２】
（４）  本発明は、（３）の電池製造装置について、前記正極集電体矯正手段は、前記正極集電体に嵌合されて当該正極集電体の位置ずれを矯正し、前記正極集電体誘導手段は、前記正極集電体の端部に装着（例えば、図１０の正極集電体２００のＹマイナス方向側の端部に相当）される正極側誘導手段（例えば、図１の正極側誘導部１１に相当）と、前記正極集電体矯正手段により前記正極集電体が矯正されているとともに、当該正極集電体の端部に前記正極側誘導手段が装着されている状態で、当該正極側誘導手段の装着されている端部側から当該正極集電体を前記第１の正極のタブ部と前記第２の正極のタブ部との間に挿入する正極側挿入手段（例えば、図１の正極側挿入部１２に相当）と、前記第１の正極のタブ部と前記第２の正極のタブ部との間に前記正極集電体が挿入されている状態で、当該正極集電体に嵌合されている前記正極集電体矯正手段を、当該正極集電体から取り外す正極側取り外し手段（例えば、図１の正極側取り外し部１３に相当）と、を備え、前記負極集電体矯正手段は、前記負極集電体に嵌合されて当該負極集電体の位置ずれを矯正し、前記負極集電体誘導手段は、前記負極集電体の端部（例えば、図１０の負極集電体３００のＹマイナス方向側の端部に相当）に装着される負極側誘導手段（例えば、図１の負極側誘導部３１に相当）と、前記負極集電体矯正手段により前記負極集電体が矯正されているとともに、当該負極集電体の端部に前記負極側誘導手段が装着されている状態で、当該負極側誘導手段の装着されている端部側から当該負極集電体を前記第１の負極のタブ部と前記第２の負極のタブ部との間に挿入する負極側挿入手段（例えば、図１の負極側挿入部３２に相当）と、前記第１の負極のタブ部と前記第２の負極のタブ部との間に前記負極集電体が挿入されている状態で、当該負極集電体に嵌合されている前記負極集電体矯正手段を、当該負極集電体から取り外す負極側取り外し手段（例えば、図１の負極側取り外し部３３に相当）と、を備えることを特徴とする電池製造装置を提案している。
【００２３】
この発明によれば、（３）の電池製造装置において、正極集電体矯正手段を正極集電体に嵌合させて、正極集電体矯正手段により正極集電体の位置ずれを矯正することとした。また、正極集電体誘導手段に、正極側誘導手段および正極側挿入手段を設けることとした。また、正極側誘導手段を正極集電体の端部に装着することとした。また、正極側挿入手段により、正極集電体矯正手段により正極集電体が矯正されているとともに、正極集電体の端部に正極側誘導手段が装着されている状態で、正極側誘導手段の装着されている端部側から正極集電体を第１の正極のタブ部と第２の正極のタブ部との間に挿入することとした。このため、正極側挿入手段により第１の正極のタブ部と第２の正極のタブ部との間に正極集電体を挿入する際に、この正極集電体を第１の正極のタブ部と第２の正極のタブ部との間に容易に導くことができる。したがって、第１の正極のタブ部と第２の正極のタブ部との間に正極集電体を容易に挿入することができる。
【００２４】
また、この発明によれば、（３）の電池製造装置において、負極集電体矯正手段を負極集電体に嵌合させて、負極集電体矯正手段により負極集電体の位置ずれを矯正することとした。また、負極集電体誘導手段に、負極側誘導手段および負極側挿入手段を設けることとした。また、負極側誘導手段を負極集電体の端部に装着することとした。また、負極側挿入手段により、負極集電体矯正手段により負極集電体が矯正されているとともに、負極集電体の端部に負極側誘導手段が装着されている状態で、負極側誘導手段の装着されている端部側から負極集電体を第１の負極のタブ部と第２の負極のタブ部との間に挿入することとした。このため、負極側挿入手段により第１の負極のタブ部と第２の負極のタブ部との間に負極集電体を挿入する際に、この負極集電体を第１の負極のタブ部と第２の負極のタブ部との間に容易に導くことができる。したがって、第１の負極のタブ部と第２の負極のタブ部との間に負極集電体を容易に挿入することができる。
【００２５】
また、この発明によれば、（３）の電池製造装置において、正極集電体誘導手段に、正極側取り外し手段を設けることとした。また、正極側取り外し手段により、第１の正極のタブ部と第２の正極のタブ部との間に正極集電体が挿入されている状態で、正極集電体に嵌合されている正極集電体矯正手段を、正極集電体から取り外すこととした。また、正極集電体矯正手段は、上述のように正極集電体誘導手段と一体に設けられている。このため、第１の正極のタブ部と第２の正極のタブ部との間に正極集電体を挿入した後に、この正極集電体から正極集電体矯正手段を正極側誘導手段とともに取り外すことができる。
【００２６】
また、この発明によれば、（３）の電池製造装置において、負極集電体誘導手段に、負極側取り外し手段を設けることとした。また、負極側取り外し手段により、第１の負極のタブ部と第２の負極のタブ部との間に負極集電体が挿入されている状態で、負極集電体に嵌合されている負極集電体矯正手段を、負極集電体から取り外すこととした。また、負極集電体矯正手段は、上述のように負極集電体誘導手段と一体に設けられている。このため、第１の負極のタブ部と第２の負極のタブ部との間に負極集電体を挿入した後に、この負極集電体から負極集電体矯正手段を負極側誘導手段とともに取り外すことができる。
【００２７】
（５）  本発明は、（２）または（３）の電池製造装置について、前記正極集電体の長手方向と直交する方向に沿った面（例えば、図６、８のＸＺ平面に相当）における当該正極集電体の断面には、凹状の凹部が当該長手方向に延在して設けられ、前記正極集電体矯正手段は、前記正極集電体の凹部に嵌合され、前記負極集電体の長手方向と直交する方向に沿った面（例えば、図６、８のＸＺ平面に相当）における当該負極集電体の断面には、凹状の凹部が当該長手方向に延在して設けられ、前記負極集電体矯正手段は、前記負極集電体の凹部に嵌合されることを特徴とする電池製造装置を提案している。
【００２８】
この発明によれば、（２）または（３）の電池製造装置において、正極集電体の長手方向と直交する方向に沿った面における正極集電体の断面に、凹状の凹部を正極集電体の長手方向に延在させて設け、正極集電体矯正手段を、正極集電体の凹部に嵌合させることとした。このため、正極集電体矯正手段を正極集電体に容易に嵌合させることができる。
【００２９】
また、この発明によれば、（２）または（３）の電池製造装置において、負極集電体の長手方向と直交する方向に沿った面における負極集電体の断面に、凹状の凹部を負極集電体の長手方向に延在させて設け、負極集電体矯正手段を、負極集電体の凹部に嵌合させることとした。このため、負極集電体矯正手段を負極集電体に容易に嵌合させることができる。
【００３０】
（６）  本発明は、（１）の電池製造装置について、前記正極集電体誘導手段は、前記正極集電体矯正手段の一端（例えば、図１７の正極集電体矯正部２０ＡのＹプラス方向側の端部に相当）に設けられた正極側誘導手段（例えば、図１７の正極側誘導部１１Ａに相当）と、前記第１の正極のタブ部と前記第２の正極のタブ部との間に前記正極集電体矯正手段を挿入する正極側挿入手段（例えば、図１６の正極側挿入部１２Ａに相当）と、前記第１の正極のタブ部と前記第２の正極のタブ部との間に前記正極集電体矯正手段が挿入されている状態で、前記正極集電体の端部（例えば、図２０の正極集電体２００のＹマイナス方向側の端部に相当）に前記正極側誘導手段を当接させた状態で、当該正極集電体が当該第１の正極のタブ部と当該第２の正極のタブ部との間に挿入された後、当該正極集電体矯正手段を当該正極集電体矯正手段の他端側（例えば、図２１のＹマイナス方向に相当）に引っ張って、当該第１の正極のタブ部と当該第２の正極のタブ部との間から当該正極集電体矯正手段を抜去するとともに、当該第１の正極のタブ部と当該第２の正極のタブ部との間に当該正極集電体を挿入する正極側抜去手段（例えば、図１６の正極側抜去部１５に相当）と、を備え、前記負極集電体誘導手段は、前記負極集電体矯正手段の一端（例えば、図１７の負極集電体矯正部４０ＡのＹプラス方向側の端部に相当）に設けられた負極側誘導手段（例えば、図１７の負極側誘導部３１Ａに相当）と、前記第１の負極のタブ部と前記第２の負極のタブ部との間に前記負極集電体矯正手段を挿入する負極側挿入手段（例えば、図１６の負極側挿入部３２Ａに相当）と、前記第１の負極のタブ部と前記第２の負極のタブ部との間に前記負極集電体矯正手段が挿入されている状態で、前記負極集電体の端部（例えば、図２０の負極集電体３００のＹマイナス方向側の端部に相当）に前記負極側誘導手段を当接させた状態で、当該負極集電体が当該第１の負極のタブ部と当該第２の負極のタブ部との間に挿入された後、当該負極集電体矯正手段を当該負極集電体矯正手段の他端側（例えば、図２１のＹマイナス方向に相当）に引っ張って、当該第１の負極のタブ部と当該第２の負極のタブ部との間から当該負極集電体矯正手段を抜去するとともに、当該第１の負極のタブ部と当該第２の負極のタブ部との間に当該負極集電体を挿入する負極側抜去手段（例えば、図１６の負極側抜去部３５に相当）と、を備えることを特徴とする電池製造装置を提案している。
【００３１】
この発明によれば、（１）の電池製造装置において、正極集電体誘導手段に、正極側誘導手段、正極側挿入手段、および正極側抜去手段を設けることとした。また、正極側挿入手段により、第１の正極のタブ部と第２の正極のタブ部との間に正極集電体矯正手段を挿入することとした。また、正極側誘導手段を正極集電体矯正手段の一端に設け、第１の正極のタブ部と第２の正極のタブ部との間に正極集電体矯正手段が挿入されている状態で正極集電体が正極集電体矯正手段にそって正極集電体が第１の正極のタブ部と第２の正極のタブ部との間に挿入された後正極集電体矯正手段を正極集電体矯正手段の他端側に引っ張って、第１の正極のタブ部と第２の正極のタブ部との間から正極集電体矯正手段を抜去するとともに、第１の正極のタブ部と第２の正極のタブ部との間に正極集電体を挿入することとした。このため、第１の正極のタブ部と第２の正極のタブ部との間に正極集電体を容易に挿入することができる。
【００３２】
また、この発明によれば、（１）の電池製造装置において、負極集電体誘導手段に、負極側誘導手段、負極側挿入手段、および負極側抜去手段を設けることとした。また、負極側挿入手段により、第１の負極のタブ部と第２の負極のタブ部との間に負極集電体矯正手段を挿入することとした。また、負極側誘導手段を負極集電体矯正手段の一端に設け、第１の負極のタブ部と第２の負極のタブ部との間に負極集電体矯正手段が挿入されている状態で負極集電体が負極集電体矯正手段にそって負極集電体が第１の負極のタブ部と第２の負極のタブ部との間に挿入された後負極集電体矯正手段を負極集電体矯正手段の他端側に引っ張って、第１の負極のタブ部と第２の負極のタブ部との間から負極集電体矯正手段を抜去するとともに、第１の負極のタブ部と第２の負極のタブ部との間に負極集電体を挿入することとした。このため、第１の負極のタブ部と第２の負極のタブ部との間に負極集電体を容易に挿入することができる。
【００３３】
（７）  本発明は、正極（例えば、図２の正極１１０に相当）と負極（例えば、図２の負極１２０に相当）とをセパレータ（例えば、図２のセパレータ１３０に相当）を挟んで積層させた発電要素（例えば、図３の発電要素１００に相当）を複数有する電池（例えば、後述のリチウムイオン二次電池に相当）を製造する電池製造方法であって、前記複数の発電要素のうち第１の発電要素（例えば、図８の発電要素１００ａに相当）に設けられた複数の正極を束ねて構成される第１の正極のタブ部（例えば、図８の正極のタブ部１１３ａに相当）と、当該複数の発電要素のうち当該第１の発電要素に隣接する第２の発電要素（例えば、図８の発電要素１００ｂに相当）に設けられた複数の正極を束ねて構成される第２の正極のタブ部（例えば、図８の正極のタブ部１１３ｂに相当）との間に、前記第１の正極のタブ部および前記第２の正極のタブ部に接続される正極集電体（例えば、図８の正極集電体２００に相当）を誘導する第１のステップと、前記第１の正極のタブ部と前記第２の正極のタブ部との間に前記正極集電体が配置されるように、当該正極集電体の位置ずれを矯正する第２のステップと、前記第１の発電要素に設けられた複数の負極を束ねて構成される第１の負極のタブ部（例えば、図８の負極のタブ部１２３ａに相当）と、前記第２の発電要素に設けられた複数の負極を束ねて構成される第２の負極のタブ部（例えば、図８の負極のタブ部１２３ｂに相当）との間に、前記第１の負極のタブ部および前記第２の負極のタブ部に接続される負極集電体（例えば、図８の負極集電体３００に相当）を誘導する第３のステップと、前記第１の負極のタブ部と前記第２の負極のタブ部との間に前記負極集電体が配置されるように、当該負極集電体の位置ずれを矯正する第４のステップと、を備えることを特徴とする電池製造方法を提案している。
【００３４】
この発明によれば、上述した効果と同様の効果を奏することができる。
【発明の効果】
【００３５】
本発明によれば、第１の正極のタブ部と第２の正極のタブ部との間に正極集電体を容易に挿入することができるとともに、第１の負極のタブ部と第２の負極のタブ部との間に負極集電体を容易に挿入することができる。
【図面の簡単な説明】
【００３６】
【図１】本発明の第１実施形態に係る電池製造装置のブロック図である。
【図２】本発明の第１実施形態に係る発電要素の構成を説明するための模式図である。
【図３】本発明の第１実施形態に係る発電要素の側面図である。
【図４】本発明の第１実施形態に係る発電要素の上面図である。
【図５】本発明の第１実施形態に係る発電要素を積層させた状態を示す上面図である。
【図６】本発明の第１実施形態に係る正極集電体および負極集電体の側面図である。
【図７】本発明の第１実施形態に係る正極のタブ部同士の間に正極集電体を配置するとともに、負極のタブ部同士の間に負極集電体を配置した状態を示す側面図である。
【図８】本発明の第１実施形態に係る正極のタブ部同士の間に正極集電体を配置するとともに、負極のタブ部同士の間に負極集電体を配置した状態を示す断面図である。
【図９】本発明の第１実施形態に係る正極集電体矯正部を正極集電体に嵌合させるとともに、負極集電体矯正部を負極集電体に嵌合させた状態を示す図である。
【図１０】本発明の第１実施形態に係る正極集電体および負極集電体の位置ずれを矯正している状態を示す側面図である。
【図１１】本発明の第１実施形態に係る正極のタブ部同士の間に正極集電体を挿入するとともに、負極のタブ部同士の間に負極集電体を挿入した状態を示す側面図である。
【図１２】本発明の第１実施形態に係る正極のタブ部同士の間に正極集電体を挿入するとともに、負極のタブ部同士の間に負極集電体を挿入した状態を示す断面図である。
【図１３】本発明の第１実施形態に係る正極集電体から正極集電体矯正部および正極側誘導部を除去するとともに、負極集電体から負極集電体矯正部および負極側誘導部を除去した状態を示す側面図である。
【図１４】本発明の第２実施形態に係る電池製造装置のブロック図である。
【図１５】本発明の第２実施形態に係る正極集電体から正極集電体矯正部および正極側誘導部を除去するとともに、負極集電体から負極集電体矯正部および負極側誘導部を除去した状態を示す側面図である。
【図１６】本発明の第３実施形態に係る電池製造装置のブロック図である。
【図１７】本発明の第３実施形態に係る正極側誘導部と正極集電体矯正部との関係と、負極側誘導部と負極集電体矯正部との関係と、を示す図である。
【図１８】本発明の第３実施形態に係る正極のタブ部同士の間に正極集電体矯正部を挿入するとともに、負極のタブ部同士の間に負極集電体矯正部を挿入した状態を示す側面図である。
【図１９】本発明の第３実施形態に係る正極のタブ部同士の間に正極集電体矯正部を挿入するとともに、負極のタブ部同士の間に負極集電体矯正部を挿入した状態を示す断面図である。
【図２０】本発明の第３実施形態に係る正極集電体を、正極側誘導部に当接させて正極のタブ部間に挿入するとともに、負極集電体を、負極側誘導部に当接させて負極のタブ部間に挿入定した状態を示す側面図である。
【図２１】本発明の第３実施形態に係る正極のタブ部同士の間から正極集電体矯正部を抜去するとともに、負極のタブ部同士の間から負極集電体矯正部を抜去した状態を示す側面図である。
【図２２】本発明の第３実施形態に係る正極側誘導部を正極集電体の端部から取り外すとともに、負極側誘導部を負極集電体の端部から取り外した状態を示す側面図である。
【発明を実施するための形態】
【００３７】
以下、本発明の実施形態について、図面を用いて、詳細に説明する。なお、以下の実施形態における構成要素は適宜、既存の構成要素などとの置き換えが可能であり、また、他の既存の構成要素との組み合わせを含む様々なバリエーションが可能である。したがって、以下の実施形態の記載をもって、特許請求の範囲に記載された発明の内容を限定するものではない。
【００３８】
＜第１実施形態＞
図１は、本発明の第１実施形態に係る電池製造装置１のブロック図である。電池製造装置１は、発電要素１００を複数有するリチウムイオン二次電池を製造する。発電要素１００は、複数の正極１１０（図２参照）と、複数の負極１２０（図２参照）と、正極１１０と負極１２０との間に配置されるセパレータ１３０（図２参照）と、を備える。発電要素１００について、図２から図８を用いて以下に説明する。
【００３９】
図２は、発電要素１００の構成を説明するための模式図である。図２において、右方に向かう向きをＸプラス方向とし、上方に向かう向きをＹプラス方向とし、紙面手前向きをＺプラス方向とする。正極１１０は、セパレータ１３０と略同一の形状および大きさを有する基部１１１と、基部１１１の一端からＸプラス方向に突出する突出部１１２と、を備える。負極１２０も、正極１１０と同様に、セパレータ１３０と略同一の形状および大きさを有する基部１２１と、基部１２１の一端からＸマイナス方向に突出する突出部１２２と、を備える。
【００４０】
図３は、発電要素１００の側面図である。図３において、図２で示した方向に合わせて、右方に向かう向きをＸプラス方向とし、上方に向かう向きをＹプラス方向とし、紙面手前向きをＺプラス方向とする。発電要素１００に設けられた複数の正極１１０のそれぞれの突出部１１２は、発電要素１００の一方の端部（Ｘプラス方向側の端部）において導電性を有するクリップ１４１で１つにまとめられている。また、発電要素１００に設けられた複数の負極１２０のそれぞれの突出部１２２は、発電要素１００の他方の端部（Ｘマイナス方向側の端部）において導電性を有するクリップ１４２で１つにまとめられている。以降では、複数の正極１１０のうちクリップ１４１で束ねられている部分のことを、正極のタブ部１１３と呼ぶこととし、複数の負極１２０のうちクリップ１４２で束ねられている部分のことを、負極のタブ部１２３と呼ぶこととする。
【００４１】
図４は、発電要素１００の上面図である。図４において、図２、３で示した方向に合わせて、右方に向かう向きをＸプラス方向とし、紙面手前向きをＹプラス方向とし、下方に向かう向きをＺプラス方向とする。発電要素１００において正極１１０および負極１２０はそれぞれ多数枚あるが、説明の簡略化のため、本実施形態では、図４に示すように、１つの発電要素１００に、正極１１０および負極１２０がそれぞれ４つずつ設けられているものとする。
【００４２】
図５は、電池ケース内に配置する発電要素１００を積層させた状態を示す上面図である。図５において、図２から４で示した方向に合わせて、右方に向かう向きをＸプラス方向とし、紙面手前向きをＹプラス方向とし、下方に向かう向きをＺプラス方向とする。
【００４３】
本実施形態では、図５に示すように、１つの電池ケース内に、発電要素１００が４つ積層して配置され、発電要素１００は、２つで１つの組を構成するものとする。また、同一の組に属する２つの発電要素１００のうち、一方を発電要素１００ａと呼び、他方を発電要素１００ｂと呼ぶこととする。また、発電要素１００ａに設けられた正極の突出部１１２のことを正極の突出部１１２ａと呼び、発電要素１００ｂに設けられた正極の突出部１１２のことを正極の突出部１１２ｂと呼ぶこととする。また、発電要素１００ａにおける正極のタブ部１１３のことを正極のタブ部１１３ａと呼び、発電要素１００ｂにおける正極のタブ部１１３のことを正極のタブ部１１３ｂと呼ぶこととする。また、発電要素１００ａに設けられた負極の突出部１２２のことを負極の突出部１２２ａと呼び、発電要素１００ｂに設けられた負極の突出部１２２のことを負極の突出部１２２ｂと呼ぶこととする。また、発電要素１００ａにおける負極のタブ部１２３のことを負極のタブ部１２３ａと呼び、発電要素１００ｂにおける負極のタブ部１２３のことを、負極のタブ部１２３ｂと呼ぶこととする。
【００４４】
図６は、正極集電体２００および負極集電体３００の側面図である。図６において、図２から５で示した方向に合わせて、右方に向かう向きをＸプラス方向とし、上方に向かう向きをＹプラス方向とし、紙面手前向きをＺプラス方向とする。正極集電体２００および負極集電体３００は、蓋部材４００に固定されており、１つの蓋部材４００からは、Ｙマイナス方向に、図８を用いて後述するように２つの正極集電体２００および２つの負極集電体３００が延在する。蓋部材４００は、積層された４つの発電要素１００を収容する容器（図示省略）とともに電池ケース（図示省略）を構成し、積層された４つの発電要素１００を容器の内部に収容するために容器に形成された開口部を塞ぐ。
【００４５】
図７は、対に設けられた正極のタブ部１１３ａ、１１３ｂの間に正極集電体２００を配置するとともに、対に設けられた負極のタブ部１２３ａ、１２３ｂの間に負極集電体３００を配置した状態を示す側面図である。図７において、図２から６で示した方向に合わせて、右方に向かう向きをＸプラス方向とし、上方に向かう向きをＹプラス方向とし、紙面手前向きをＺプラス方向とする。正極集電体２００は、発電要素１００の上部（Ｙプラス方向側）から下部（Ｙマイナス方向側）に向かって、対に設けられた正極のタブ部１１３ａ、１１３ｂの間に挿入される。負極集電体３００は、発電要素１００の上部（Ｙプラス方向側）から下部（Ｙマイナス方向側）に向かって、対に設けられた負極のタブ部１２３ａ、１２３ｂの間に挿入される。
【００４６】
図８は、図７のＡ−Ａ断面における断面図である。図８において、図２から７で示した方向に合わせて、右方に向かう向きをＸプラス方向とし、紙面手前向きをＹプラス方向とし、下方に向かう向きをＺプラス方向とする。正極集電体２００の長手方向（Ｙ方向）と直交する方向に沿った面（ＸＺ平面）における正極集電体２００の断面には、凹状の凹部が正極集電体２００の長手方向に延在して設けられており、正極集電体２００は、コの字形の断面を有している。また、負極集電体３００の長手方向（Ｙ方向）と直交する方向に沿った面（ＸＺ平面）における負極集電体３００の断面には、凹状の凹部が負極集電体３００の長手方向に延在して設けられており、負極集電体３００は、コの字形の断面を有している。
【００４７】
これら正極集電体２００および負極集電体３００は、１組の発電要素１００ａ、１００ｂに対して１つの正極集電体２００が対に設けられるとともに、１組の発電要素１００ａ、１００ｂに対して１つの負極集電体３００が対に設けられる。具体的には、発電要素１００ａにおける正極のタブ部１１３ａと、この発電要素１００ａと対に設けられた発電要素１００ｂにおける正極のタブ部１１３ｂと、の間に、１つの正極集電体２００が挿入され、これら対に設けられた正極のタブ部１１３ａ、１１３ｂが正極集電体２００と超音波溶接により接合される。また、発電要素１００ａにおける負極のタブ部１２３ａと、この発電要素１００ａと対に設けられた発電要素１００ｂにおける負極のタブ部１２３ｂと、の間に、１つの負極集電体３００が挿入され、これら対に設けられた負極のタブ部１２３ａ、１２３ｂが負極集電体３００と超音波溶接により接合される。
【００４８】
図１に戻って、電池製造装置１は、正極集電体２００を上述のように挿入するための正極側冶具ＡＡと、負極集電体３００を上述のように挿入するための負極側冶具ＢＢと、を備える。正極側冶具ＡＡは、正極集電体誘導部１０および正極集電体矯正部２０を備え、負極側冶具ＢＢは、負極集電体誘導部３０および負極集電体矯正部４０を備える。
【００４９】
正極集電体矯正部２０は、正極集電体２００に嵌合可能に設けられる。この正極集電体矯正部２０は、対に設けられた正極のタブ部１１３ａ、１１３ｂの間に正極集電体２００が配置されるように、正極集電体２００に嵌合された状態で正極集電体２００の位置ずれを矯正する。これによれば、蓋部材４００から正極集電体２００の延在する向きが、図６を用いて上述したＹマイナス方向、すなわち蓋部材４００の平面が延在する向き（図６のＸＺ平面上の向き）と直交する向きになる。このため、蓋部材４００から正極集電体２００の延在する向きが、図６を用いて上述したＹマイナス方向からずれている場合、すなわち蓋部材４００の平面が延在する向き（図６のＸＺ平面上の向き）と直交する向きからずれていても、このずれを直すことができる。
【００５０】
負極集電体矯正部４０は、負極集電体３００に嵌合可能に設けられる。この負極集電体矯正部４０は、対に設けられた負極のタブ部１２３ａ、１２３ｂの間に負極集電体３００が配置されるように、負極集電体３００に嵌合された状態で負極集電体３００の位置ずれを矯正する。これによれば、蓋部材４００から負極集電体３００の延在する方向が、図６を用いて上述したＹマイナス方向、すなわち蓋部材４００の平面が延在する向き（図６のＸＺ平面上の向き）と直交する向きになる。このため、蓋部材４００から負極集電体３００の延在する方向が、図６を用いて上述したＹマイナス方向からずれている場合、すなわち蓋部材４００の平面が延在する向き（図６のＸＺ平面上の向き）と直交する向きからずれていても、このずれを直すことができる。
【００５１】
正極集電体誘導部１０は、対に設けられた正極のタブ部１１３ａ、１１３ｂの間に正極集電体２００を誘導する。この正極集電体誘導部１０は、正極側誘導部１１、正極側挿入部１２、正極側取り外し部１３、および正極側除去部１４を備える。
【００５２】
正極側誘導部１１は、正極集電体２００の端部に装着される。
【００５３】
正極側挿入部１２は、正極集電体矯正部２０により正極集電体２００が矯正されているとともに、この正極集電体２００の端部に正極側誘導部１１が装着されている状態で、正極側誘導部１１の装着されている端部側から正極集電体２００を、対に設けられた正極のタブ部１１３ａ、１１３ｂの間に挿入する。
【００５４】
正極側取り外し部１３は、対に設けられた正極のタブ部１１３ａ、１１３ｂの間に正極集電体２００が挿入されている状態で、正極集電体２００に嵌合されている正極集電体矯正部２０を、正極集電体２００から取り外す。
【００５５】
正極側除去部１４は、対に設けられた正極のタブ部１１３ａ、１１３ｂの間に正極集電体２００が挿入されている状態で、正極集電体２００の端部に装着されている正極側誘導部１１を、正極集電体２００の端部より取り除く。
【００５６】
負極集電体誘導部３０は、対に設けられた負極のタブ部１２３ａ、１２３ｂの間に負極集電体３００を誘導する。この負極集電体誘導部３０は、負極側誘導部３１、負極側挿入部３２、負極側取り外し部３３、および負極側除去部３４を備える。
【００５７】
負極側誘導部３１は、負極集電体３００の端部に装着される。
【００５８】
負極側挿入部３２は、負極集電体矯正部４０により負極集電体３００が矯正されているとともに、この負極集電体３００の端部に負極側誘導部３１が装着されている状態で、負極側誘導部３１の装着されている端部側から負極集電体３００を、対に設けられた負極のタブ部１２３ａ、１２３ｂの間に挿入する。
【００５９】
負極側取り外し部３３は、対に設けられた負極のタブ部１２３ａ、１２３ｂの間に負極集電体３００が挿入されている状態で、負極集電体３００に嵌合されている負極集電体矯正部４０を、負極集電体３００から取り外す。
【００６０】
負極側除去部３４は、対に設けられた負極のタブ部１２３ａ、１２３ｂの間に負極集電体３００が挿入されている状態で、負極集電体３００の端部に装着されている負極側誘導部３１を、負極集電体３００の端部より取り除く。
【００６１】
以上の構成を備える電池製造装置１の動作について、図９から図１３を用いて以下に詳述する。
【００６２】
図９は、正極集電体矯正部２０を正極集電体２００に嵌合させるとともに、負極集電体矯正部４０を負極集電体３００に嵌合させた状態を示す図である。図９において、図２から８で示した方向に合わせて、右方に向かう向きをＸプラス方向とし、紙面手前向きをＹプラス方向とし、下方に向かう向きをＺプラス方向とする。正極集電体矯正部２０は、Ｚ方向に延在する基部２１と、基部２１からＸマイナス方向に突出する突出部２２と、を備え、負極集電体矯正部４０は、Ｚ方向に延在する基部４１と、基部４１からＸプラス方向に突出する突出部４２と、を備える。
【００６３】
電池製造装置１は、まず、図９に示すように、正極集電体２００のコの字形の凹部に突出部２２をはめこむとともに、負極集電体３００のコの字形の凹部に突出部４２をはめこむ。これによれば、正極集電体矯正部２０が正極集電体２００に嵌合されるとともに、負極集電体矯正部４０が負極集電体３００に嵌合されることになる。
【００６４】
図１０は、正極集電体２００および負極集電体３００の位置ずれを矯正している状態を示す側面図である。図１０において、図２から９で示した方向に合わせて、右方に向かう向きをＸプラス方向とし、上方に向かう向きをＹプラス方向とし、紙面手前向きをＺプラス方向とする。正極集電体矯正部２０の基部２１および負極集電体矯正部４０の基部４１は、図９を用いて上述したようにＺ方向に延在しているだけでなく、図１０に示すようにＹ方向にも延在している。また、正極集電体矯正部２０の突出部２２および負極集電体矯正部４０の突出部４２は、図９を用いて上述したようにＺ方向に延在しているだけでなく、後述の図１３に示すようにＹ方向にも延在している。
【００６５】
電池製造装置１は、次に、図１０に示すように、正極集電体２００に嵌合されている正極集電体矯正部２０を、蓋部材４００のうち正極集電体２００が固定されている部分からＹマイナス方向に延伸する線分に沿って、所定位置に配置するとともに、負極集電体３００に嵌合されている負極集電体矯正部４０を、蓋部材４００のうち負極集電体３００が固定されている部分からＹマイナス方向に延伸する線分に沿って、所定位置に配置する。これによれば、正極集電体矯正部２０および負極集電体矯正部４０により、正極集電体２００および負極集電体３００の位置ずれが矯正され、正極集電体２００および負極集電体３００が、蓋部材４００の平面が延在する向きと直交する向きに延在することになる。
【００６６】
また、電池製造装置１は、正極集電体２００の端部（Ｙマイナス方向側の端部）に正極側誘導部１１を装着するとともに、負極集電体３００の端部（Ｙマイナス方向側の端部）に負極側誘導部３１を装着する。なお、正極側誘導部１１のうち、正極集電体２００に装着されている端部（Ｙプラス方向側の端部）を基端部とし、基端部と対向する端部（Ｙマイナス方向側の端部）を先端部とすると、正極側誘導部１１の先端部は、正極側誘導部１１の基端部と比べて細く形成されている。また、負極側誘導部３１のうち、負極集電体３００に装着されている端部（Ｙプラス方向側の端部）を基端部とし、基端部と対向する端部（Ｙマイナス方向側の端部）を先端部とすると、負極側誘導部３１の先端部は、負極側誘導部３１の基端部と比べて細く形成されている。
【００６７】
電池製造装置１は、次に、正極集電体矯正部２０および負極集電体矯正部４０により正極集電体２００および負極集電体３００が矯正されている状態において、正極側挿入部１２により、正極側誘導部１１の装着されている端部側から正極集電体２００を、対に設けられた正極のタブ部１１３ａ、１１３ｂの間に挿入するとともに、負極側挿入部３２により、負極側誘導部３１の装着されている端部側から負極集電体３００を、対に設けられた負極のタブ部１２３ａ、１２３ｂの間に挿入する。これによれば、図１１、図１２に示すように、正極集電体２００が、正極集電体矯正部２０により矯正されている状態で、対に設けられた正極のタブ部１１３ａ、１１３ｂの間に挿入されるとともに、負極集電体３００が、負極集電体矯正部４０により矯正されている状態で、対に設けられた負極のタブ部１２３ａ、１２３ｂの間に挿入されることになる。
【００６８】
図１１は、対に設けられた正極のタブ部１１３ａ、１１３ｂの間に正極集電体２００を挿入するとともに、対に設けられた負極のタブ部１２３ａ、１２３ｂの間に負極集電体３００を挿入した状態を示す側面図である。図１１において、図２から１０で示した方向に合わせて、右方に向かう向きをＸプラス方向とし、上方に向かう向きをＹプラス方向とし、紙面手前向きをＺプラス方向とする。
【００６９】
図１２は、図１１のＢ−Ｂ断面における断面図である。図１２において、図２から１１で示した方向に合わせて、右方に向かう向きをＸプラス方向とし、紙面手前向きをＹプラス方向とし、下方に向かう向きをＺプラス方向とする。
【００７０】
なお、上述のように、正極側誘導部１１の先端部が、正極側誘導部１１の基端部と比べて細く形成されているため、正極側誘導部１１が正極集電体２００の端部に装着されていない場合と比べて、対に設けられた正極のタブ部１１３ａ、１１３ｂの間への正極集電体２００の挿入が容易になる。また、正極集電体２００が、正極集電体矯正部２０により矯正されている状態で、対に設けられた正極のタブ部１１３ａ、１１３ｂの間に挿入される。以上によれば、正極集電体２００が正極１１０やクリップ１４１や正極のタブ部１１３ａ、１１３ｂに接触してしまうのを防止することができる。
【００７１】
また、上述のように、負極側誘導部３１の先端部が、負極側誘導部３１の基端部と比べて細く形成されているため、負極側誘導部３１が負極集電体３００の端部に装着されていない場合と比べて、対に設けられた負極のタブ部１２３ａ、１２３ｂの間への負極集電体３００の挿入が容易になる。また、負極集電体３００が、負極集電体矯正部４０により矯正されている状態で、対に設けられた負極のタブ部１２３ａ、１２３ｂの間に挿入される。以上によれば、負極集電体３００が負極１２０やクリップ１４２や負極のタブ部１２３ａ、１２３ｂに接触してしまうのを防止することができる。
【００７２】
また、正極集電体２００および負極集電体３００の双方は、上述のように蓋部材４００に固定されている。このため、正極集電体２００と負極集電体３００とが蓋部材４００を介して一体に動くことになるので、正極側挿入部１２および負極側挿入部３２は、同一の構成となる。ただし、正極集電体２００と負極集電体３００とが、蓋部材４００のような同一の部材に固定されていない場合には、正極集電体２００と負極集電体３００とがそれぞれ独立して動くことになるので、正極側挿入部１２および負極側挿入部３２は、互いに異なる構成となる。
【００７３】
電池製造装置１は、次に、図１３に示すように、対に設けられた正極のタブ部１１３ａ、１１３ｂの間に挿入されている正極集電体２００から、正極側取り外し部１３により正極集電体矯正部２０を取り外すとともに、正極側除去部１４により正極側誘導部１１を取り除く。また、電池製造装置１は、対に設けられた負極のタブ部１２３ａ、１２３ｂの間に挿入されている負極集電体３００から、負極側取り外し部３３により負極集電体矯正部４０を取り外すとともに、負極側除去部３４により負極側誘導部３１を取り除く。
【００７４】
図１３は、正極集電体２００から正極集電体矯正部２０および正極側誘導部１１を除去するとともに、負極集電体３００から負極集電体矯正部４０および負極側誘導部３１を除去した状態を示す側面図である。図１１において、図２から１２で示した方向に合わせて、右方に向かう向きをＸプラス方向とし、上方に向かう向きをＹプラス方向とし、紙面手前向きをＺプラス方向とする。
【００７５】
以上の電池製造装置１によれば、以下の効果を奏することができる。
【００７６】
電池製造装置１は、正極集電体誘導部１０により、対に設けられた正極のタブ部１１３ａ、１１３ｂの間に正極集電体２００を誘導し、正極集電体矯正部２０により、対に設けられた正極のタブ部１１３ａ、１１３ｂの間に正極集電体２００が挿入されるように、正極集電体２００の位置ずれを矯正する。このため、発電要素１００を動かすことなく正極集電体２００を正しい位置に配置して、対に設けられた正極のタブ部１１３ａ、１１３ｂの間に正極集電体２００を導くことができる。したがって、対に設けられた正極のタブ部１１３ａ、１１３ｂの間に正極集電体２００を容易に挿入することができる。
【００７７】
また、電池製造装置１は、負極集電体誘導部３０により、対に設けられた負極のタブ部１２３ａ、１２３ｂの間に負極集電体３００を誘導し、負極集電体矯正部４０により、対に設けられた負極のタブ部１２３ａ、１２３ｂの間に負極集電体３００が挿入されるように、負極集電体３００の位置ずれを矯正する。このため、発電要素１００を動かすことなく負極集電体３００を正しい位置に配置して、対に設けられた負極のタブ部１２３ａ、１２３ｂの間に負極集電体３００を導くことができる。したがって、対に設けられた負極のタブ部１２３ａ、１２３ｂの間に負極集電体３００を容易に挿入することができる。
【００７８】
また、電池製造装置１は、正極集電体矯正部２０を正極集電体２００に嵌合させて、正極集電体矯正部２０により正極集電体２００の位置ずれを矯正する。また、正極集電体誘導部１０に、正極側誘導部１１および正極側挿入部１２を設け、正極側誘導部１１を正極集電体２００の端部に装着することとした。また、正極側挿入部１２により、正極集電体矯正部２０により正極集電体２００が矯正されているとともに、正極集電体２００の端部に正極側誘導部１１が装着されている状態で、正極側誘導部１１の装着されている端部側から正極集電体２００を、対に設けられた正極のタブ部１１３ａ、１１３ｂの間に挿入する。このため、対に設けられた正極のタブ部１１３ａ、１１３ｂの間に正極側挿入部１２により正極集電体２００を挿入する際に、この正極集電体２００を、対に設けられた正極のタブ部１１３ａ、１１３ｂの間に容易に導くことができる。したがって、対に設けられた正極のタブ部１１３ａ、１１３ｂの間に正極集電体２００を容易に挿入することができる。
【００７９】
また、電池製造装置１は、負極集電体矯正部４０を負極集電体３００に嵌合させて、負極集電体矯正部４０により負極集電体３００の位置ずれを矯正する。また、負極集電体誘導部３０に、負極側誘導部３１および負極側挿入部３２を設け、負極側誘導部３１を負極集電体３００の端部に装着することとした。また、負極側挿入部３２により、負極集電体矯正部４０により負極集電体３００が矯正されているとともに、負極集電体３００の端部に正極側誘導部１１が装着されている状態で、負極側誘導部３１の装着されている端部側から負極集電体３００を、対に設けられた負極のタブ部１２３ａ、１２３ｂの間に挿入する。このため、対に設けられた負極のタブ部１２３ａ、１２３ｂの間に負極側挿入部３２により負極集電体３００を挿入する際に、この負極集電体３００を、対に設けられた負極のタブ部１２３ａ、１２３ｂの間に容易に導くことができる。したがって、対に設けられた負極のタブ部１２３ａ、１２３ｂの間に負極集電体３００を容易に挿入することができる。
【００８０】
また、電池製造装置１は、先端部が基端部より細く形成されている正極側誘導部１１について、この正極側誘導部１１の基端部を正極集電体２００の端部に装着する。このため、対に設けられた正極のタブ部１１３ａ、１１３ｂの間に正極集電体２００をさらに容易に挿入することができる。
【００８１】
また、電池製造装置１は、先端部が基端部より細く形成されている負極側誘導部３１について、この負極側誘導部３１の基端部を負極集電体３００の端部に装着する。このため、対に設けられた負極のタブ部１２３ａ、１２３ｂの間に負極集電体３００をさらに容易に挿入することができる。
【００８２】
また、電池製造装置１は、正極集電体誘導部１０に、正極側取り外し部１３および正極側除去部１４を設け、正極側取り外し部１３により、対に設けられた正極のタブ部１１３ａ、１１３ｂの間に正極集電体２００が挿入されている状態で、正極集電体２００に嵌合されている正極集電体矯正部２０を、正極集電体２００から取り外す。また、正極側除去部１４により、対に設けられた正極のタブ部１１３ａ、１１３ｂの間に正極集電体２００が挿入されている状態で、正極集電体２００の端部に装着されている正極側誘導部１１を、正極集電体２００の端部より取り除く。このため、対に設けられた正極のタブ部１１３ａ、１１３ｂの間に正極集電体２００を挿入した後に、この正極集電体２００から正極集電体矯正部２０および正極側誘導部１１を取り外すことができる。
【００８３】
また、電池製造装置１は、負極集電体誘導部３０に、負極側取り外し部３３および負極側除去部３４を設け、負極側取り外し部３３により、対に設けられた負極のタブ部１２３ａ、１２３ｂの間に負極集電体３００が挿入されている状態で、負極集電体３００に嵌合されている負極集電体矯正部４０を、負極集電体３００から取り外す。また、負極側除去部３４により、対に設けられた負極のタブ部１２３ａ、１２３ｂの間に負極集電体３００が挿入されている状態で、負極集電体３００の端部に装着されている負極側誘導部３１を、負極集電体３００の端部より取り除く。このため、対に設けられた負極のタブ部１２３ａ、１２３ｂの間に負極集電体３００を挿入した後に、この負極集電体３００から負極集電体矯正部４０および負極側誘導部３１を取り外すことができる。
【００８４】
また、正極集電体２００の長手方向と直交する方向に沿った面における正極集電体２００の断面に凹部が設けられており、電池製造装置１は、この凹部に突出部２２をはめ込む。このため、突出部２２を有する正極集電体矯正部２０を、正極集電体２００に容易に嵌合させることができる。
【００８５】
また、負極集電体３００の長手方向と直交する方向に沿った面における負極集電体３００の断面に凹部が設けられており、電池製造装置１は、この凹部に突出部４２をはめ込む。このため、突出部４２を有する負極集電体矯正部４０を、負極集電体３００に容易に嵌合させることができる。
【００８６】
＜第２実施形態＞
図１４は、本発明の第２実施形態に係る電池製造装置１Ａのブロック図である。電池製造装置１Ａは、図１に示した本発明の第１実施形態に係る電池製造装置１とは、正極側誘導部１１と正極集電体矯正部２０とが一体に設けられている点と、正極側除去部１４としての機能が正極側取り外し部１３に組み込まれている点と、負極側誘導部３１と負極集電体矯正部４０とが一体に設けられている点と、負極側除去部３４としての機能が負極側取り外し部３３に組み込まれている点と、で異なる。なお、電池製造装置１Ａにおいて、電池製造装置１と同一構成要件については、同一符号を付し、その説明を省略する。
【００８７】
図１５は、正極集電体２００から正極集電体矯正部２０および正極側誘導部１１を除去するとともに、負極集電体３００から負極集電体矯正部４０および負極側誘導部３１を除去した状態を示す側面図である。図１５において、図２から１３で示した方向に合わせて、右方に向かう向きをＸプラス方向とし、上方に向かう向きをＹプラス方向とし、紙面手前向きをＺプラス方向とする。
【００８８】
図１５に示すように、正極側誘導部１１の基端部は、正極集電体矯正部２０の突出部２２のうちＹマイナス方向側の端部に取り付けられており、負極側誘導部３１の基端部は、負極集電体矯正部４０の突出部４２のうちＹマイナス方向側の端部に取り付けられている。
【００８９】
このため、正極集電体矯正部２０を正極集電体２００に嵌合させれば、正極側誘導部１１を正極集電体２００の端部側に配置させることができる。また、負極集電体矯正部４０を負極集電体３００に嵌合させれば、負極側誘導部３１を負極集電体３００の端部側に配置させることができる。
【００９０】
また、正極側取り外し部１３により、対に設けられた正極のタブ部１１３ａ、１１３ｂの間に挿入されている正極集電体２００から正極集電体矯正部２０を取り外せば、この正極集電体２００から正極側誘導部１１を取り除くことができる。また、負極側取り外し部３３により、対に設けられた負極のタブ部１２３ａ、１２３ｂの間に挿入されている負極集電体３００から負極集電体矯正部４０を取り外せば、この負極集電体３００から負極側誘導部３１を取り除くことができる。
【００９１】
以上の電池製造装置１Ａによれば、図１に示した本発明の第１実施形態に係る電池製造装置１が奏することのできる上述の効果に加えて、以下の効果を奏することができる。
【００９２】
電池製造装置１Ａでは、正極集電体矯正部２０および正極側誘導部１１が一体に設けられる。このため、対に設けられた正極のタブ部１１３ａ、１１３ｂの間に正極側挿入部１２により正極集電体２００を挿入する際に、正極集電体２００の端部に装着されている正極側誘導部１１とともに、正極集電体矯正部２０を移動させることができる。したがって、対に設けられた正極のタブ部１１３ａ、１１３ｂの間に正極側挿入部１２により正極集電体２００を挿入する際に、正極集電体矯正部２０による正極集電体２００の位置ずれの矯正を、容易に継続することができる。
【００９３】
また、電池製造装置１Ａでは、負極集電体矯正部４０および負極側誘導部３１が一体に設けられる。このため、対に設けられた負極のタブ部１２３ａ、１２３ｂの間に負極側挿入部３２により負極集電体３００を挿入する際に、負極集電体３００の端部に装着されている負極側誘導部３１とともに、負極集電体矯正部４０を移動させることができる。したがって、対に設けられた負極のタブ部１２３ａ、１２３ｂの間に負極側挿入部３２により負極集電体３００を挿入する際に、負極集電体矯正部４０による負極集電体３００の位置ずれの矯正を、容易に継続することができる。
【００９４】
また、電池製造装置１Ａでは、正極集電体矯正部２０および正極側誘導部１１が一体に設けられる。このため、正極集電体矯正部２０を正極集電体２００に嵌合させれば、正極側誘導部１１を正極集電体２００の端部側に配置させることができる。また、対に設けられた正極のタブ部１１３ａ、１１３ｂの間に挿入されている正極集電体２００から正極集電体矯正部２０を取り外せば、この正極集電体２００から正極側誘導部１１を取り除くことができる。したがって、電池製造装置１Ａによる製造工程を簡略化することができる。
【００９５】
また、電池製造装置１Ａでは、負極集電体矯正部４０および負極側誘導部３１が一体に設けられる。このため、負極集電体矯正部４０を負極集電体３００に嵌合させれば、負極側誘導部３１を負極集電体３００の端部側に配置させることができる。また、対に設けられた負極のタブ部１２３ａ、１２３ｂの間に挿入されている負極集電体３００から負極集電体矯正部４０を取り外せば、この負極集電体３００から負極側誘導部３１を取り除くことができる。したがって、電池製造装置１Ａによる製造工程を簡略化することができる。
【００９６】
＜第３実施形態＞
図１６は、本発明の第３実施形態に係る電池製造装置１Ｂのブロック図である。電池製造装置１Ｂは、図１に示した本発明の第１実施形態に係る電池製造装置１とは、正極側冶具ＡＡの代わりに正極側冶具ＣＣを備える点と、負極側冶具ＢＢの代わりに負極側冶具ＤＤを備える点と、で異なる。なお、電池製造装置１Ｂにおいて、電池製造装置１と同一構成要件については、同一符号を付し、その説明を省略する。
【００９７】
正極側冶具ＣＣは、正極集電体誘導部１０Ａおよび正極集電体矯正部２０Ａを備え、負極側冶具ＤＤは、負極集電体誘導部３０Ａおよび負極集電体矯正部４０Ａを備える。
【００９８】
正極集電体矯正部２０Ａは、対に設けられた正極のタブ部１１３ａ、１１３ｂの間に正極集電体２００が配置されるように、正極集電体２００の位置ずれを矯正する。
【００９９】
負極集電体矯正部４０Ａは、対に設けられた負極のタブ部１２３ａ、１２３ｂの間に負極集電体３００が配置されるように、負極集電体３００の位置ずれを矯正する。
【０１００】
正極集電体誘導部１０Ａは、対に設けられた正極のタブ部１１３ａ、１１３ｂの間に正極集電体２００を誘導する。この正極集電体誘導部１０Ａは、正極側誘導部１１Ａ、正極側挿入部１２Ａ、および正極側抜去部１５を備える。
【０１０１】
正極側挿入部１２Ａは、対に設けられた正極のタブ部１１３ａ、１１３ｂの間に正極集電体矯正部２０Ａを挿入する。
【０１０２】
正極側誘導部１１Ａは、正極集電体矯正部２０Ａの一端に設けられ、対に設けられた正極のタブ部１１３ａ、１１３ｂの間に正極集電体矯正部２０Ａが挿入されている状態で、正極集電体２００の端部に当接される。
【０１０３】
正極側抜去部１５は、正極側誘導部１１Ａが正極集電体２００の端部に当接されている状態で、正極集電体矯正部２０Ａを正極集電体矯正部２０Ａの他端側に引っ張って、対に設けられた正極のタブ部１１３ａ、１１３ｂの間から正極集電体矯正部２０Ａを抜去するとともに、対に設けられた正極のタブ部１１３ａ、１１３ｂの間に正極集電体２００を挿入する。
【０１０４】
負極集電体誘導部３０Ａは、対に設けられた負極のタブ部１２３ａ、１２３ｂの間に負極集電体３００を誘導する。この負極集電体誘導部３０Ａは、負極側誘導部３１Ａ、負極側挿入部３２Ａ、および負極側抜去部３５を備える。
【０１０５】
負極側挿入部３２Ａは、対に設けられた負極のタブ部１２３ａ、１２３ｂの間に負極集電体矯正部４０Ａを挿入する。
【０１０６】
負極側誘導部３１Ａは、負極集電体矯正部４０Ａの一端に設けられ、対に設けられた負極のタブ部１２３ａ、１２３ｂの間に負極集電体矯正部４０Ａが挿入されている状態で、負極集電体３００の端部に当接される。
【０１０７】
負極側抜去部３５は、負極側誘導部３１Ａが負極集電体３００の端部に当接されている状態で、負極集電体矯正部４０Ａを負極集電体矯正部４０Ａの他端側に引っ張って、対に設けられた負極のタブ部１２３ａ、１２３ｂの間から負極集電体矯正部４０Ａを抜去するとともに、対に設けられた負極のタブ部１２３ａ、１２３ｂの間に負極集電体３００を挿入する。
【０１０８】
以上の構成を備える電池製造装置１Ｂの動作について、図１７から図２２を用いて以下に詳述する。
【０１０９】
図１７は、正極側誘導部１１Ａと正極集電体矯正部２０Ａとの関係と、負極側誘導部３１Ａと負極集電体矯正部４０Ａとの関係と、を示す図である。図１７において、図２から１３、１５で示した方向に合わせて、右方に向かう向きをＸプラス方向とし、上方に向かう向きをＹプラス方向とし、紙面手前向きをＺプラス方向とする。
【０１１０】
正極集電体矯正部２０Ａおよび負極集電体矯正部４０Ａのそれぞれは、Ｙ方向に延在して長尺状に形成されており、それぞれの一端（Ｙプラス方向側の端部）には正極側誘導部１１Ａおよび負極側誘導部３１Ａのそれぞれが設けられている。
【０１１１】
電池製造装置１Ｂは、まず、図１８、１９に示すように、正極側挿入部１２Ａにより、対に設けられた正極のタブ部１１３ａ、１１３ｂの間に正極集電体矯正部２０Ａを挿入して、正極集電体矯正部２０Ａの一端に設けられた正極側誘導部１１Ａを、対に設けられた正極のタブ部１１３ａ、１１３ｂの間から突出させる。また、電池製造装置１Ｂは、負極側挿入部３２Ａにより、対に設けられた負極のタブ部１２３ａ、１２３ｂの間に負極集電体矯正部４０Ａを挿入して、負極集電体矯正部４０Ａの一端に設けられた負極側誘導部３１Ａを、対に設けられた負極のタブ部１２３ａ、１２３ｂの間から突出させる。
【０１１２】
図１８は、対に設けられた正極のタブ部１１３ａ、１１３ｂの間に正極集電体矯正部２０Ａを挿入するとともに、対に設けられた負極のタブ部１２３ａ、１２３ｂの間に負極集電体矯正部４０Ａを挿入した状態を示す側面図である。図１８において、図２から１３、１５、１７で示した方向に合わせて、右方に向かう向きをＸプラス方向とし、上方に向かう向きをＹプラス方向とし、紙面手前向きをＺプラス方向とする。
【０１１３】
なお、正極集電体２００および負極集電体３００の双方は、上述のように蓋部材４００に固定されている。このため、正極集電体２００と負極集電体３００とが蓋部材４００を介して一体に動くことになるので、正極側挿入部１２Ａおよび負極側挿入部３２Ａは、同一の構成となる。ただし、正極集電体２００と負極集電体３００とが、蓋部材４００のような同一の部材に固定されていない場合には、正極集電体２００と負極集電体３００とがそれぞれ独立して動くことになるので、正極側挿入部１２Ａおよび負極側挿入部３２Ａは、互いに異なる構成となる。
【０１１４】
図１９は、図１８のＣ−Ｃ断面における断面図である。図１９において、図２から１３、１５、１７、１８で示した方向に合わせて、右方に向かう向きをＸプラス方向とし、紙面手前向きをＹプラス方向とし、下方に向かう向きをＺプラス方向とする。
【０１１５】
電池製造装置１Ｂは、次に、図２０に示すように、正極集電体２００のＹマイナス方向の端部に正極側誘導部１１Ａを当接して正極集電体矯正部２０Ａにより正極集電体２００を正極のタブ部１１３ａ、１１３ｂの間に配置する。このため、正極集電体矯正部２０Ａにより、正極集電体２００の位置ずれが矯正され、対に設けられた正極のタブ部１１３ａ、１１３ｂの間に向かって正極集電体２００が延在することになる。
【０１１６】
また、電池製造装置１Ｂは、負極集電体３００のＹマイナス方向の端部に負極側誘導部３１Ａを当接して負極集電体矯正部４０Ａにより負極集電体３００を負極のタブ部１２３ａ、１２３ｂの間に配置する。このため、負極集電体矯正部４０Ａにより、負極集電体３００の位置ずれが矯正され、対に設けられた負極のタブ部１２３ａ、１２３ｂの間に向かって負極集電体３００が延在することになる。
【０１１７】
図２０は、正極集電体２００の端部に正極側誘導部１１Ａを当接して、正極集電体２００を正極のタブ部間に挿入するとともに、負極集電体３００の端部に負極側誘導部３１Ａを当接して、負極集電体３００を負極のタブ部間に挿入する状態を示す側面図である。図２０において、図２から１３、１５、１７から１９で示した方向に合わせて、右方に向かう向きをＸプラス方向とし、上方に向かう向きをＹプラス方向とし、紙面手前向きをＺプラス方向とする。
【０１１８】
電池製造装置１Ｂは、次に、図２１に示すように、正極側抜去部１５により、正極集電体矯正部２０Ａを正極集電体矯正部２０Ａの他端側（Ｙマイナス方向側）に引っ張って、対に設けられた正極のタブ部１１３ａ、１１３ｂの間から正極集電体矯正部２０Ａを抜去する。このとき、正極集電体矯正部２０Ａの抜去とともに正極側誘導部１１Ａも抜去される。これによれば、対に設けられた正極のタブ部１１３ａ、１１３ｂの間に正極集電体２００が挿入されることになる。また、電池製造装置１Ｂは、負極側抜去部３５により、負極集電体矯正部４０Ａを負極集電体矯正部４０Ａの他端側（Ｙマイナス方向側）に引っ張って、対に設けられた負極のタブ部１２３ａ、１２３ｂの間から負極集電体矯正部４０Ａを抜去する。このとき、負極集電体矯正部４０Ａの抜去とともに負極側誘導部３１Ａも抜去される。これによれば、対に設けられた負極のタブ部１２３ａ、１２３ｂの間に負極集電体３００が挿入されることになる。
【０１１９】
図２１は、対に設けられた正極のタブ部１１３ａ、１１３ｂの間から正極集電体矯正部２０Ａを抜去するとともに、対に設けられた負極のタブ部１２３ａ、１２３ｂの間から負極集電体矯正部４０Ａを抜去した状態を示す側面図である。図２１において、図２から１３、１５、１７から２０で示した方向に合わせて、右方に向かう向きをＸプラス方向とし、上方に向かう向きをＹプラス方向とし、紙面手前向きをＺプラス方向とする。
【０１２０】
なお、正極集電体２００および負極集電体３００の双方は、上述のように蓋部材４００に固定されている。このため、正極集電体２００と負極集電体３００とが蓋部材４００を介して一体に動くことになるので、正極側抜去部１５および負極側抜去部３５は、同一の構成となる。ただし、正極集電体２００と負極集電体３００とが、蓋部材４００のような同一の部材に固定されていない場合には、正極集電体２００と負極集電体３００とがそれぞれ独立して動くことになるので、正極側抜去部１５および負極側抜去部３５は、互いに異なる構成となる。
【０１２１】
電池製造装置１Ｂは、次に、図２２に示すように、正極側誘導部１１Ａを正極集電体２００から取り外すとともに、負極側誘導部３１Ａを負極集電体３００から取り外す。これによれば、正極集電体矯正部２０Ａの一端への正極集電体２００の当接と、負極集電体矯正部４０Ａの一端への負極集電体３００の当接と、が解除されることになる。
【０１２２】
図２２は、正極側誘導部１１Ａを正極集電体２００から取り外すとともに、負極側誘導部３１Ａを負極集電体３００から取り外した状態を示す側面図である。図２２において、図２から１３、１５、１７から２１で示した方向に合わせて、右方に向かう向きをＸプラス方向とし、上方に向かう向きをＹプラス方向とし、紙面手前向きをＺプラス方向とする。
【０１２３】
以上の電池製造装置１Ｂによれば、以下の効果を奏することができる。
【０１２４】
電池製造装置１Ｂは、正極集電体誘導部１０Ａにより、対に設けられた正極のタブ部１１３ａ、１１３ｂの間に正極集電体２００を誘導し、正極集電体矯正部２０Ａにより、対に設けられた正極のタブ部１１３ａ、１１３ｂの間に正極集電体２００が挿入されるように、正極集電体２００の位置ずれを矯正する。このため、発電要素１００を動かすことなく正極集電体２００を正しい位置に配置して、対に設けられた正極のタブ部１１３ａ、１１３ｂの間に正極集電体２００を導くことができる。したがって、対に設けられた正極のタブ部１１３ａ、１１３ｂの間に正極集電体２００を容易に挿入することができる。
【０１２５】
また、電池製造装置１Ｂは、負極集電体誘導部３０Ａにより、対に設けられた負極のタブ部１２３ａ、１２３ｂの間に負極集電体３００を誘導し、負極集電体矯正部４０Ａにより、対に設けられた負極のタブ部１２３ａ、１２３ｂの間に負極集電体３００が挿入されるように、負極集電体３００の位置ずれを矯正する。このため、発電要素１００を動かすことなく負極集電体３００を正しい位置に配置して、対に設けられた負極のタブ部１２３ａ、１２３ｂの間に負極集電体３００を導くことができる。したがって、対に設けられた負極のタブ部１２３ａ、１２３ｂの間に負極集電体３００を容易に挿入することができる。
【０１２６】
また、電池製造装置１Ｂは、正極側挿入部１２Ａにより、対に設けられた正極のタブ部１１３ａ、１１３ｂの間に正極集電体矯正部２０Ａを挿入する。また、正極側誘導部１１Ａを正極集電体矯正部２０Ａの一端に設け、対に設けられた正極のタブ部１１３ａ、１１３ｂの間に正極集電体矯正部２０Ａが挿入されている状態で正極集電体矯正部２０Ａにそって正極集電体２００が正極のタブ部１１３ａ、１１３ｂとの間に挿入された後正極側抜去部１５により正極集電体矯正部２０Ａを正極集電体矯正部２０Ａの他端側に引っ張って、対に設けられた正極のタブ部１１３ａ、１１３ｂの間から正極集電体矯正部２０Ａを抜去するとともに、対に設けられた正極のタブ部１１３ａ、１１３ｂの間に正極集電体２００を挿入する。このため、対に設けられた正極のタブ部１１３ａ、１１３ｂの間に正極集電体２００を容易に挿入することができる。
【０１２７】
また、電池製造装置１Ｂは、負極側挿入部３２Ａにより、対に設けられた負極のタブ部１２３ａ、１２３ｂの間に負極集電体矯正部４０Ａを挿入する。また、負極側誘導部３１Ａを負極集電体矯正部４０Ａの一端に設け、対に設けられた負極のタブ部１２３ａ、１２３ｂの間に負極集電体矯正部４０Ａが挿入されている状態で負極集電体矯正部４０Ａにそって負極集電体３００が負極のタブ部１２３ａ、１２３ｂとの間に挿入された後負極側抜去部３５により負極集電体矯正部４０Ａを負極集電体矯正部４０Ａの他端側に引っ張って、対に設けられた負極のタブ部１２３ａ、１２３ｂの間から負極集電体矯正部４０Ａを抜去するとともに、対に設けられた負極のタブ部１２３ａ、１２３ｂの間に負極集電体３００を挿入する。このため、対に設けられた負極のタブ部１２３ａ、１２３ｂの間に負極集電体３００を容易に挿入することができる。
【０１２８】
以上、この発明の実施形態につき、図面を参照して詳述してきたが、具体的な構成はこの実施形態に限られるものではなく、この発明の要旨を逸脱しない範囲の設計なども含まれる。
【０１２９】
例えば、上述の各実施形態では、１つの発電要素１００に、正極１１０および負極１２０がそれぞれ４つずつ設けられているものとしたが、４つに限らず、例えば３つや６つあるいはそれ以上であってもよい。
【０１３０】
また、上述の各実施形態では、１つの電池ケース内に、発電要素１００が４つ積層して配置されるものとしたが、４つに限らず、例えば３つや６つあるいはそれ以上を積層して配置されるものとしてもよい。
【０１３１】
また、上述の各実施形態では、いわゆる積層型のリチウムイオン二次電池を例に説明したが、これに限らず、例えば扁平巻きのリチウムイオン二次電池であってもよい。
【０１３２】
また、上述の第１実施形態では、正極集電体矯正部２０は、正極集電体２００に嵌合させるものとしたが、これに限らず、正極集電体２００を把持といった方法で固定してもよい。
【０１３３】
また、上述の第３実施形態では、正極側誘導部１１Ａを正極集電体２００に当接するものとしたが、当接するに際しては、例えば、正極集電体２００のコの字形の凹部に正極側誘導部１１Ａを嵌合させたり、正極側誘導部１１Ａで正極集電体２００を把持させたりしてもよい。正極集電体２００のコの字形の凹部に正極側誘導部１１Ａを嵌合させることで、正極側誘導部１１Ａを正極集電体２００に固定する場合には、正極側誘導部１１Ａのうち、正極集電体矯正部２０Ａに接している端部（Ｙマイナス方向側の端部）を基端部とし、基端部と対向する端部（Ｙプラス方向側の端部）を先端部とすると、正極側誘導部１１Ａの先端部は、正極側誘導部１１Ａの基端部と比べて細く形成されていることが好ましい。これによれば、正極集電体２００のコの字形の凹部に正極側誘導部１１Ａを嵌合させる際に、正極集電体２００のコの字形の凹部に正極側誘導部１１Ａを入り込みやすくすることができる。負極側誘導部３１Ａについても、上述の正極側誘導部１１Ａと同様にして負極集電体３００に固定することとしてもよい。
【０１３４】
また、上述の第２実施形態では、正極集電体誘導部１０に正極側除去部１４を設けるものとした。しかし、これに限らず、正極側除去部１４としての機能を正極側取り外し部１３に組み込んで、正極集電体誘導部１０に正極側除去部１４を設けないこととしてもよい。また、負極側除去部３４についても、正極側除去部１４と同様に、負極側除去部３４としての機能を負極側取り外し部３３に組み込んで、負極集電体誘導部３０に負極側除去部３４を設けないこととしてもよい。
【符号の説明】
【０１３５】
１、１Ａ、１Ｂ；電池製造装置
１０、１０Ａ；正極集電体誘導部
１１、１１Ａ；正極側誘導部
１２、１２Ａ；正極側挿入部
１３；正極側取り外し部
１４；正極側除去部
１５；正極側抜去部
２０、２０Ａ；正極集電体矯正部
３０、３０Ａ；負極集電体誘導部
３１、３１Ａ；負極側誘導部
３２、３２Ａ；負極側挿入部
３３；負極側取り外し部
３４；負極側除去部
３５；負極側抜去部
４０、４０Ａ；負極集電体矯正部
１００、１００ａ、１００ｂ；発電要素
１１０；正極
１１３、１１３ａ、１１３ｂ；正極のタブ部
１２０；負極
１２３、１２３ａ、１２３ｂ；負極のタブ部
２００；正極集電体
３００；負極集電体
４００；蓋部材
ＡＡ、ＣＣ；正極側冶具
ＢＢ、ＤＤ；負極側冶具
【図１】
0006454994.tif 000002
【図２】
0006454994.tif 000003
【図３】
0006454994.tif 000004
【図４】
0006454994.tif 000005
【図５】
0006454994.tif 000006
【図６】
0006454994.tif 000007
【図７】
0006454994.tif 000008
【図８】
0006454994.tif 000009
【図９】
0006454994.tif 000010
【図１０】
0006454994.tif 000011
【図１１】
0006454994.tif 000012
【図１２】
0006454994.tif 000013
【図１３】
0006454994.tif 000014
【図１４】
0006454994.tif 000015
【図１５】
0006454994.tif 000016
【図１６】
0006454994.tif 000017
【図１７】
0006454994.tif 000018
【図１８】
0006454994.tif 000019
【図１９】
0006454994.tif 000020
【図２０】
0006454994.tif 000021
【図２１】
0006454994.tif 000022
【図２２】
0006454994.tif 000023